【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
無機物スラリー表面白色化の方法であって、前記方法が以下の：
（ａ）分散および／または粉砕によって、少なくとも１つの水ベース無機物スラリーを調製する段階、
（ｂ）段階ａ）の間および／または後に、無水無機物に対して０．００５重量％から０．５重量％の少なくとも１つのアルキレンオキシドブロックまたはランダムコポリマー、好ましくはブロックコポリマーを添加する段階を含むことを特徴とする、方法。
【請求項２】
無水無機物に対して０．００５重量％から５重量％の少なくとも１つの分散助剤および／または粉砕助剤が、段階（ａ）および／または（ｂ）の間および／または後に添加される、請求項１に記載の方法。
【請求項３】
少なくとも１つのアルキレンオキシドブロックコポリマーが、バイ−またはトリ−ブロックコポリマー、好ましくは少なくともトリ−ブロックコポリマーである、請求項１または２の一項に記載の方法。
【請求項４】
バイ−ブロックコポリマーが、ＥＯ／ＰＯであり、およびトリ−ブロックコポリマーがＥＯ／ＰＯ／ＥＯまたはＰＯ／ＥＯ／ＰＯブロックコポリマーである、請求項３に記載の方法。
【請求項５】
トリ−ブロックコポリマーが一般構造：
【化１】
2014505142.tif 000001
および式中、ｘ、ｙおよびｚはそれぞれ独立して、１と１２０を含む１から１２０の間の、好ましくは１と８０を含む１から８０の間の、より好ましくは３と７０を含む３から７０の間の、なおより好ましくは５と３４を含む５から３４の間のいずれかの単一の整数を表してもよく、ここでｘおよびｚは同じまたは異なる整数である、または
【化２】
2014505142.tif 000002
式中、ａ、ｂまたはｃはそれぞれ独立して、１と１２０を含む１から１２０の間の、好ましくは１と８０を含む１から８０の間の、より好ましくは３と７０を含む３から７０の間の、なおより好ましくは５と３４を含む５から３４の間のいずれかの単一の整数を表してもよく、ここでａおよびｃは同じまたは異なる整数である、
を有し、ならびに式（Ｉ）−（ＩＩ）におけるＲおよびＲ’がアルキル残基および／または水素である、請求項４に記載の方法。
【請求項６】
バイブロックが一般構造：
【化３】
2014505142.tif 000003
または
【化４】
2014505142.tif 000004
式中、ｄ、ｅ、ｆまたはｇはそれぞれ独立して、１と１２０を含む１から１２０の間の、好ましくは１と８０を含む１から８０の間の、より好ましくは２と７０を含む２から７０の間の、なおより好ましくは４と４０を含む４から４０の間のいずれかの単一の整数を表してもよく、ここでｄおよびｅは同じまたは異なる整数であり、ならびにｆまたはｇは同じまたは異なる整数である、
を有し、ならびに式（ＩＩＩ）−（ＩＶ）におけるＲおよびＲ’がアルキル残基および／または水素である、請求項３に記載の方法。
【請求項７】
分散助剤および／または粉砕助剤が、アニオン性分散助剤および／または粉砕助剤より選択される、請求項１から６のいずれかに記載の方法。
【請求項８】
アニオン性分散助剤および／または粉砕助剤が、有機または無機分散助剤および／または粉砕助剤である、請求項１から７のいずれかに記載の方法。
【請求項９】
有機分散助剤および／または粉砕助剤が、クエン酸ナトリウム、アクリル酸ナトリウムおよびアクリル酸ナトリウムまたはメタクリル酸ナトリウムのホモポリマーまたはコポリマーおよびこれらの組合せより選択される、請求項８に記載の方法。
【請求項１０】
無機分散助剤および／または粉砕助剤が、ピロりん酸ナトリウムまたはポリりん酸ナトリウム、例えばヘキサメタりん酸ナトリウムまたはトリポリりん酸ナトリウムより選択される、請求項８に記載の方法。
【請求項１１】
アニオン性ポリマー分散剤を、ヒドロキシル基、アミド基、カルボキシル基、スルホ基およびホスホノ基から選ばれる少なくとも１つの基ならびにこれらのアルカリ金属塩、アルカリ土類金属塩ならびにアンモニウム塩／またはアミン塩を含むポリマーアクリル系分散剤またはポリマー分散剤から選ぶことができる、請求項８に記載の方法。
【請求項１２】
ポリマーアクリル系分散剤が、約１０００ｇ／ｍｏｌから３００００ｇ／ｍｏｌの、好ましくは約１３００ｇ／ｍｏｌから２００００ｇ／ｍｏｌの、より好ましくは約１５００ｇ／ｍｏｌから１７０００ｇ／ｍｏｌの、なおより好ましくは約２５００ｇ／ｍｏｌから１６０００ｇ／ｍｏｌの、なおより好ましくは約３１００ｇ／ｍｏｌから１５０００ｇ／ｍｏｌの、なおより好ましくは約３２００ｇ／ｍｏｌから１３０００ｇ／ｍｏｌの、なおさらに好ましくは約３３００ｇ／ｍｏｌから７５００ｇ／ｍｏｌの範囲の、なおさらに好ましくは約３５００ｇ／ｍｏｌから約６０００ｇ／ｍｏｌの範囲の分子量を有する、請求項１１に記載の方法。
【請求項１３】
アニオン性ポリマー分散剤の酸基が、少なくとも１つの１価および／または２価および／または３価および／または４価中和剤によって部分または完全中和されている、請求項１２に記載の方法。
【請求項１４】
少なくとも１つの１価または２価中和剤が、アルカリ金属イオンまたはアルカリ土類金属イオンおよびこれらの塩、例えばリチウム、ナトリウム、カリウム、マグネシウム、カルシウム、アンモニウムおよびこれらの組合せから選ばれる、請求項１３に記載の方法。
【請求項１５】
請求項１から１４のいずれか一項に記載の方法によって得られる無機物スラリーであって、該スラリーの湿潤表面白色度が段階ｂ）でアルキレンオキシドが存在しない同じスラリーの白色度よりも少なくとも２％高く、好ましくは湿潤表面白色度が段階ｂ）でアルキレンオキシドが存在しない同じスラリーの白色度よりも３％高く、より好ましくは湿潤表面白色度が段階ｂ）でアルキレンオキシドが存在しない同じスラリーの白色度よりも４％高い、無機物スラリー。
【請求項１６】
請求項１から１４のいずれか一項に記載の方法によって得られる無機物スラリーであって、該無機物がカオリン、天然および沈降炭酸カルシウム、タルク、雲母、ドロマイト、ベントナイト、ＴｉＯ２、Ａｌ（ＯＨ）３ならびにこれらの混合物を含む群より選択される、無機物スラリー。
【請求項１７】
天然炭酸カルシウムが、大理石、石灰石、チョーク、カルサイトまたはこれらの混合物より選択される、請求項１６に記載の無機物スラリー。
【請求項１８】
沈降炭酸カルシウムが、カルサイト型沈降炭酸カルシウム、バテライト型沈降炭酸カルシウム、アラゴナイト型沈降炭酸カルシウムまたはこれらの混合物より選択される、請求項１６に記載の無機物スラリー。
【請求項１９】
無機物スラリーが、少なくとも５重量％の、好ましくは５０−８０重量％の、より好ましくは７０−７９重量％の、最も好ましくは７２−７８．５重量％の固形分量を有する、請求項１から１４のいずれか一項に記載の方法によって得られる無機物スラリー。
【請求項２０】
コンクリート、封止剤、紙、紙コーティング、塗料またはプラスチックにおける、請求項１５から１９のいずれか一項に記載の無機物スラリーの使用。
【請求項２１】
請求項１から１４のいずれか一項に記載の方法によって得られた無機物スラリーを含む、コンクリート、封止剤、紙、塗料またはプラスチックなどの物品。
【請求項２２】
湿潤無機物スラリー表面の白色度を測定する方法であって：
（ａ）請求項１から１４のいずれかに記載の湿潤無機物スラリーおよび白色標準を提供する段階
（ｂ）湿潤無機物スラリーおよび白色標準のコンピュータによって計算したデジタル表面画像を比較する段階を含む、方法。